(57)【特許請求の範囲】
【請求項１】
ケーシング前面に、上面に吸込口と前面上部に格子による開口と前面下部に吹出口を形成したフロントパネルを装着し、同フロントパネル前面に、吸込口を形成した吸込グリルを装着して本体を構成し、同本体内に熱交換器と吹出空気を付勢するファンを配設し、前記開口前面より前記フロントパネルの上面吸込口の裏面に至るプレフィルターを配設し、同プレフィルターの裏面に空気中の塵埃を除去するフィルターと臭気を脱臭するフィルターを配してなる空気調和機において、前記フロントパネルの格子部に沿って、その表面に矩形状の周囲壁を立設し、同周囲壁に紫外線ランプを支持する一方、同紫外線ランプの照射により活性化される、塵埃除去機能と脱臭機能を併せもつ酸化チタンを表面に付加した吸着材によるフィルターを保持したフィルター保持具を着脱自在に装着してなることを特徴とする空気調和機。
【請求項２】
前記周囲壁の外面に係合用の突起を設け、前記フィルター保持具に同係合用の突起に対応する係合孔を設け、前記係合用の突起に同係合孔を係止して前記フィルター保持具を装着してなることを特徴とする請求項１記載の空気調和機。
【請求項３】
前記周囲壁内に、前記紫外線ランプへの通電を制御する可動端子を備えたマイクロスイッチを設ける一方、前記周囲壁に同可動端子を導出する導出孔を穿設し、前記可動端子の先端を同導出孔より外部に臨ませ、前記フィルター保持金具の前記周囲壁への着脱により、前記可動端子が可動して前記マイクロスイッチのオン・オフをすることを特徴としてなる請求項１記載の空気調和機。
【請求項４】
前記フィルター保持具のフランジ部に前記フィルターを係止する係止爪を一体に形成したことを特徴とする請求項１記載の空気調和機。
【発明の詳細な説明】
【０００１】
【発明の属する技術分野】
本発明は、空気調和機に係わり、より詳細にはフィルターの取付構成に関する。
【０００２】
【従来の技術】
一般に壁掛型の空気調和機は図６の縦断面図に示すように、本体１はケーシング２前面に、上面に格子による吸込口３ａを、前面に格子による開口部３ｂを形成し前面下部に吹出口３ｃを形成したフロントパネル３を装着し、更にその前面に吸込口４ａを形成した吸込グリル４を着脱自在に装着している。本体１の内部上方には冷房時には蒸発器として暖房時には凝縮器として作用する熱交換器５が配設されており、その下方にはクロスフローファン６が設けられ、同熱交換器５を通過した冷気或いは暖気をフロントパネル３の下部前面に形成され吹出方向を制御するルーバー８が設けられた吹出口３ｃより室内に吹き出す。前記吸込グリル４の背後には、前面吸込口３ｂの前面下部より前記フロントパネル３の吸込口３ａの裏面に至る枠体に網目状のフィルターを一体に形成したプレフィルター２５が設けられており、同プレフィルター２５の裏面には枠体内に静電フィルター２８と活性炭フィルター２９を収納した主フィルター３０が着脱自在に係止されている。
【０００３】
前記プレフィルター２５は空気中の大型の塵埃を捕捉し、前記主フィルターを構成する静電フィルター２８は室内空気中の微細な塵埃を補足し、前記活性炭フィルター２９は脱臭用として煙草の煙、悪臭等を除去する。同フィルター２８、２９は、約１ケ月毎に清掃を行う必要があり、前記吸込グリル４をフロントパネル３より取り外して後、同フィルター２８、２９が係止されているプレフィルター２５を取り外して作業を行う。
【０００４】
近年、前記静電フィルター２８と前記活性炭フィルター２９との機能を併せ持ち、且つ頻繁な清掃を必要としないメインテナンス性に優れたフィルターとして、活性炭による多孔質の吸着材表面に酸化チタンを付加したフィルターが空気清浄機等では用いられるようになってきている。しかるに同フィルターは紫外線ランプを光を表面に照射することにより０Ｈラジカルを発生し、その強力な酸化力で有機物を水と炭酸ガスに分解して酸化分解を起こし、これを利用して脱臭、坑菌、坑ウィルス等に優れた効果を発揮するとともに半永久的な使用が可能である。同フィルターを空気調和機に適用するには、紫外線ランプを空気調和機内に設ける必要があり、同紫外線ランプを内蔵するためのケース等を設けた場合は部品点数の増加あるいは組み立て工数の増加要因となる。
【０００５】
【発明が解決しようとする課題】
本発明は上記の点に鑑みなされたものであり、紫外線ランプと一体となったフィルターを空気調和機に適用するにあたり、部品点数の低減及び組み立て工数の低減を図るものである。
【０００６】
【課題を解決するための手段】
本発明は上記課題を解決するため、前記フロントパネルの格子部に沿って、その表面に矩形状の周囲壁を立設し、同周囲壁に紫外線ランプを支持する一方、同紫外線ランプの照射により活性化される、塵埃除去機能と脱臭機能を併せもつ酸化チタンを表面に付加した吸着材によるフィルターを保持したフィルター保持具を前記周囲壁に着脱自在に装着してなることを特徴とする。
また前記周囲壁の外面に係合用の突起を設け、前記フィルター保持具に同係合用の突起に対応する係合孔を設け、前記係合用の突起に同係合孔を係止して前記フィルター保持具を装着してなることを特徴とする。
また前記周囲壁内に、前記紫外線ランプへの通電を制御する可動端子を備えたマイクロスイッチを設ける一方、前記周囲壁に同可動端子を導出する導出孔を穿設し、前記可動端子の先端を同導出孔より外部に臨ませ、前記フィルター保持金具の前記周囲壁への着脱により、前記可動端子が可動して前記マイクロスイッチのオン・オフをすることを特徴としてなる。
また前記フィルター保持具のフランジ部に前記フィルターを係止する係止爪を一体に形成したことを特徴とする。
【０００７】
【発明の実施の形態】
フロントパネルの前面格子部に、前面が開放された周囲壁を立設し、同周囲壁内に紫外線ランプを支持するとともに、鍔を設けた前面及び背面が開放された略矩形状の保持具内にフィルターを保持し、同保持具を前記周囲壁に係止してなる。
【０００８】
【実施例】
以下、図面に基づいて本発明による空気調和機を詳細に説明する。図の説明用の符号は、従来例と同様のものは同様の符号を用いる。
図１は本発明による空気調和機の略中央の縦断面図であり、図２は本発明による空気調和機のフロントパネル３の分解斜視図であり、図３は図２の拡大断面図である。本体１の構成はケーシング２前部に、上面に格子による吸込口３ａを、前面に格子による吸込口３ｂを形成し下部前面に吹出口３ｃを形成したフロントパネル３を装着し、更にその前面に、吸込口４ａを形成した吸込グリル４を同フロントパネル３に着脱自在に装着している。
【０００９】
同本体１内部上方に冷房時には蒸発器、暖房時には凝縮器として作用する２段に屈曲した熱交換器５を配設し、その下方には同熱交換器５により熱交換された冷気或いは暖気を、吹出方向を制御するルーバー８が設けられた吹出口３ｃより吹き出すクロスフローファン６が設けられている。前面開口部３ｂのの裏面下端よりは前記吸込口３ａの裏面に至るプレフィルター１０が配設され、同フロントパネル３の上方斜面部には、紫外線ランプを内蔵したフィルター部１１が形成されている。
【００１０】
次に本発明の要部について説明する。図２は同フィルター部１１を設けたフロントパネル３の前面を示す分解斜視図であり、図３は同部１１の縦断面図である。前記フロントパネル３の前面格子部の略中央部４辺には前面が開放され連続する矩形状の周囲壁１２が同フロントパネル３より一体となって立設されており、その内部に収納部１２ａを形成している。同収納部１２ａの底面には、両側を前記格子に接続した横方向に懸架する紫外線ランプ支持板３ｄが形成されており、同紫外線ランプ支持板３ｄの前面両側には一対のソケット１７が電源ケーブル１６を接続して取付られるとともに、同ソケット１７に円筒状の紫外線ランプ１５が支持装着されている。前記紫外線ランプ支持板３ｄの上下には通気孔１２ｂが形成されるとともに、前記周囲壁１２の上面部及び下面部には係合用の係合突起１２ｃが一対づつ設けられ、同周囲壁１２の上下左右内面にはフィルター押さえ爪１２ｄが突起して形成されている。
【００１１】
フィルター１４は、臭気成分を吸着する活性炭によるハニカム状の吸着材の表面に酸化チタンによる光触媒を付加したものであり、光触媒励起源となる前記紫外線ランプ１５より紫外線光の照射を受けると、光触媒は励起されＯＨラジカルを発生する。このＯＨラジカルは酸化力が非常に強く、臭気成分の酸化分解をすみやかに行う。この場合、分解速度の遅い臭気成分は吸着材に吸着されるが、吸着されることにより吸着材表面の臭気成分の濃度が高くなるので励起光を繰り返し照射させることにより、効率良く除去することができる。このような動作を行うことにより吸着材を常にリフレッシュして脱臭性能を長期間にわたり安定的に保つことができる。照射は吸着材に臭気成分を集めてから紫外線ランプ１５を点灯させる間欠照射によっても脱臭でき、また連続照射いずれを用いてもよい。同酸化チタンフィルター１４は前記収納部１２ａの内径寸法に適合する方形状に形成され、同フィルター１４を保持するフィルター保持具１３は、可撓性のある材質により形成され、前面と背面が開放され、その縦横内径寸法は前記周囲壁１２の外形寸法に適合する方形状に形成されるとともに、前記フィルター１４を保持するための鍔１３ａが前面周囲に形成され、上下面には前記周囲壁１２の係合突起１２ａに適合する係合孔１３ｂが一対づつ穿設されている。
【００１２】
以下、同フィルター部１１の組付について説明する。前記フロントパネル３より前記吸込グリル４を取り外し、次にプレフィルター１０を外す。前記フィルター保持具１３内に前記フィルター１４を前記鍔部１３ａに係止して前面に飛びださないように保持し、その状態で同フィルター保持具１３を、前記係合孔１３ｂが周囲壁１２の前記係合突起１２ｂに係合するように装着する。前記フィルター１４の背面は周囲壁の前記フィルター押さえ爪１２ｃにより固定される。この後前記プレフィルター１０と前記吸込グリル４を再装着する。
【００１３】
室内機をある期間運転し、前記フィルター１４が汚れた時は前記紫外線ランプ１５の光を同フィルター１４の表面に照射する。これにより同フィルター１４は活性化され、吸気中の塵埃及び悪臭等を効率的に除去する。
【００１４】
前記紫外線ランプ１５は人体とくに目に対しては有害であり、フィルター１４交換の際、紫外線ランプ１５が点灯したまま交換作業をおこなうと安全性に問題があるため、前記フィルター保持金具１３をはずすと自動的に紫外線ランプ１５を消灯させる必要性がある。そのため図４に示すように、前記収納部１２ａ内にマイクロスイッチ１８を設け、その可動する接点部１８ａが、前記周囲壁１２に穿設した導出孔１２ｆより外方に臨ませ、前記フィルター保持金具１３の端面と当接させ、同フィルター保持金具１３を取りはずすと前記接点部１８ａが可動することにより、同マイクロスイッチ２５がオン・オフされることにより前記紫外線ランプ１５が自動的に消灯する。
【００１５】
フィルターの支持構造の他の実施例として、図５に示すようにフィルター保持金具１９内にフィルター係止爪１９ａを立設し、同係止爪１９ａにフィルター１４を係止することにより、保持金具１９とフィルター１４を一体に構成する。これによりフィルター交換作業を簡便に行え、メインテナンス性が向上する。
【００１６】
【発明の効果】
以上に説明したように、本発明による空気調和機においては、フロントパネル前面部に周囲壁を設け同周囲壁内に、酸化チタンを表面に付加したフィルターと同フィルターを活性化させる紫外線ランプを収納する構成により、部品点数及び組み立て工数の低減を図ることができ、且つ頻繁なフィルター清掃作業を必要としないメインテナンス性に非常に優れた空気調和機とすることができる。
【図面の簡単な説明】
【図１】本発明による空気調和機の概略を示す縦断面図である。
【図２】本発明による空気調和機の要部を示す分解斜視図である。
【図３】本発明による空気調和機の要部を示す断面図である。
【図４】本発明による他の実施例を示す縦断面図である。
【図５】本発明による他の実施例を示す縦断面図である。
【図６】従来例を示す空気調和機の概略を示す縦断面図である。
【図７】従来例を示す空気調和機のフィルターの分解斜視図である。
【符号の説明】
１    本体
２    ケーシング
３    フロントパネル
３ａ  上面吸込口
３ｂ  前面吸込口
３ｃ  吹出口
３ｄ  紫外線ランプ支持板
４    吸込グリル
４ａ  吸込口
５    熱交換器
６    クロスフローファン
７    空気流路
８    ルーバー
９    ドレンパン
１０    プレフィルター
１１    フィルター部
１２    周囲壁
１２ａ  収納部
１２ｂ  通気孔
１２ｃ  係合突起
１２ｄ  フィルター押さえ爪
１２ｆ  導出孔
１３    フィルター保持具
１３ａ  鍔
１３ｂ  係合孔
１４    フィルター
１５    紫外線ランプ
１６    ケーブル
１７    ソケット
１８    マイクロスイッチ
１９    フィルター保持具
【図１】
0003855413.tif 000002
【図２】
0003855413.tif 000003
【図３】
0003855413.tif 000004
【図４】
0003855413.tif 000005
【図５】
0003855413.tif 000006
【図６】
0003855413.tif 000007
【図７】
0003855413.tif 000008